(57)【要約】【課題】  スプリンクラーヘッドを消火設備配管に接続するときに過度な負荷が加わってノズルの閉止荷重が低下することを防止可能なスプリンクラーヘッドの提供。【解決手段】  消火設備配管と接続されるねじ部１１と消火設備配管の内部の水を放出するノズル１２を有する本体１、ノズル１２を閉塞する弁体３、弁体３を支持する感熱分解部４、感熱分解部４を係止し本体１と螺合するフレーム２を備えており、本体１のノズル１２とねじ部１１の間に可撓管１３を設置した。【選択図】    図１
0003211718.tif 000002
【実用新案登録請求の範囲】
【請求項１】
消火設備配管と接続されるねじ部と消火設備配管の内部の水を放出するノズルを有する本体、ノズルを閉塞する弁体、弁体を支持する感熱分解部、感熱分解部を係止し本体と螺合するフレーム、を備えており、本体のノズルとねじ部の間に可撓管を設置したことを特徴とするスプリンクラーヘッド。
【請求項２】
内部にノズルを収容し、一端が可撓管と接続された直管部を本体に備える請求項１記載のスプリンクラーヘッド。
【請求項３】
直管部の前記一端側と対向する側の端は、本体の内側と係合している請求項１または請求項２記載のスプリンクラーヘッド。
【考案の詳細な説明】
【技術分野】
【０００１】
本考案は、消火用スプリンクラーヘッドに関するものである。
【背景技術】
【０００２】
スプリンクラーヘッドは消火設備配管と接続したノズルを有しており、火災の際には自動的に作動して消火設備配管内部の水を散布して消火を行うものである。
【０００３】
スプリンクラーヘッドには常時においてノズルを閉止するための荷重が印加されている。図７のスプリンクラーヘッドにおいて本体１００のノズル１０１は弁１０２により常時閉じられており、弁１０２の下にはサドル１０３と感熱分解部１０４が設置されており、感熱分解部１０４の一対のレバー１０５がフレーム１０６の内側フランジ１０７に係止されている。
【０００４】
フレーム１０６の上部は本体１００と螺合されており、フレーム１０６と本体１００を螺合すると、弁１０２がノズル１０１の端に押圧されてノズル１０１を閉止するための荷重が印加される。この荷重によって消火設備配管Ｐに充填されている水を外部に漏らさず密閉している。
【先行技術文献】
【特許文献】
【０００５】
【特許文献１】特開平７−２８４５４５号公報
【考案の概要】
【考案が解決しようとする課題】
【０００６】
スプリンクラー設備の施工において、スプリンクラーヘッドは施工現場で配管に接続されるのが一般的である。スプリンクラーヘッドと消火設備配管とは、ねじ構造により接続されるが、ねじ部からの水漏れを防止するために過度なトルクでねじを締め付けると、前述の本体やフレームに過大な力が加わり、ノズルを閉止するための荷重が低下してしまうおそれがある。ノズルを閉止する荷重が低下すると消火設備配管に充填されている水が異常昇圧したときに水漏れが発生することが危惧される。
【０００７】
そこで本考案では上記問題に鑑み、スプリンクラーヘッドを消火設備配管に接続するときに過度な負荷が加わってノズルの閉止荷重が低下することを防止可能なスプリンクラーヘッドを提供することを目的としている。
【課題を解決するための手段】
【０００８】
上記の目的を達成するために、本考案は以下のスプリンクラーヘッドを提供する。
すなわち、消火設備配管と接続されるねじ部と消火設備配管の内部の水を放出するノズルを有する本体、ノズルを閉塞する弁体、弁体を支持する感熱分解部、感熱分解部を係止し本体と螺合するフレーム、を備えており、本体のノズルとねじ部の間に可撓管を設置したことを特徴とするスプリンクラーヘッドである。
【０００９】
スプリンクラーヘッドのノズルと、消火設備配管と接続されるねじ部を可撓管により離間させて配置したことで配管接続時にねじ部に印加される荷重をノズルや弁体に伝わりにくくした。また可撓管を介在させたことで施工の際は自在に可撓管を屈曲させることができるのでスプリンクラーヘッドの位置調整が容易となる。
【００１０】
前記本考案については、内部にノズルを収容し、一端が可撓管と接続された直管部を本体に備えることができる。これによれば、ノズルを直管部に設置したことで、直管部による整流作用を得ることができ、整流作用によりスプリンクラーヘッドが作動した際に所定の水量をノズルから放出して水を偏りなく散布することができる。
【００１１】
前記本考案については、直管部の前記一端側と対向する側の端は、本体の内側と係合して構成することができる。これによれば、本体とフレームとを螺合することで直管部の内部に設置されたノズルの端を弁体に押圧することができ、ノズルを閉止する荷重を印加することができる。
【考案の効果】
【００１２】
本考案によれば、スプリンクラーヘッドのノズルと、消火設備配管と接続されるねじ部とを可撓管により離間させて配置したことで、スプリンクラーヘッドを配管に接続するときに過度な負荷が加わりノズルの閉止荷重が低下することを防止可能なスプリンクラーヘッドを実現できる。
【図面の簡単な説明】
【００１３】
【図１】本考案のスプリンクラーヘッド（一部断面）
【図２】図１のスプリンクラーヘッドのノズル側の断面図
【図３】図１のスプリンクラーヘッドの配管接続側
【図４】図１のスプリンクラーヘッドと天井下地材との取付け状態図
【図５】図１のスプリンクラーヘッドと天井下地材との斜視図
【図６】図２におけるスプリンクラーヘッドの作動状態の断面図
【図７】従来のスプリンクラーヘッドの断面図
【考案を実施するための最良の形態】
【００１４】
本考案のスプリンクラーヘッドＳは、本体１、フレーム２、弁体３、デフレクター部４、感熱分解部５を備えている。
【００１５】
本体１は、ねじ部１１、ノズル１２、可撓管１３、直管部１４、鍔部１５から構成される。ねじ部１１は中空形状をしており外部には消火設備配管と接続される牡ネジ１１Ａが形成されている。牡ネジ１１の根元側にはスパナやレンチ等の工具を係止させるための工具係止部１１Ｂとなっている。工具係止部１１Ｂの外周断面は六角や八角等の多角形形状となっている。
【００１６】
ノズル１２は円筒状であり、直管部１４の内部に設置される。ノズル１２の入り口側、つまり直管部１４に挿入される側の内径は直管部１４の内径と略同じ寸法または僅かに小径となっている。ノズル１２の出口側の内径寸法は入り口側の内径寸法より小さい。入り口側と出口側の間は傾斜面となっている。出口側の端面は弁体３が着座する弁座１２Ａとなっており、弁座１２Ａにはシール部材が設置されている。ノズル１２の外周面には外部に拡張した段部１２Ｂが形成されている。段部１２Ｂは直管部１４のフランジ１４Ａと係合している。
【００１７】
可撓管１３は中空状の管であり、屈曲自在である。可撓管１３は金属管を蛇腹状に形成して屈曲自在に構成したものや、あるいは樹脂管を用いることが可能である。可撓管１３の一方の端は、ねじ部１１の工具係止部１１Ｂと接続され、他方の端は直管部１４に接続される。
【００１８】
直管部１４は金属または樹脂の管であり、前述のように内部にノズル１２を収容する。図１では、直管部１４の上端側は可撓管１３と接続され、下端側はノズル１２を内部に収容している。直管部１４とノズル１２とは溶接や接着剤等で固定設置されている。
【００１９】
直管部１４は可撓管１３を通過してきた水流に対して整流作用を有する。直管部１４にて整流化された水流はノズル１２を通過して所定の水量が放出されることで規定の散水性能を得ることができる。直管部１４の整流効果を高めるために、直管部１４の内部に整流構造を設けることができる。具体的には直管部１４の内部に直管部１４の中心軸に沿ったライン状の突起や溝を形成することができる。
【００２０】
直管部１４の下端は外部に拡張したフランジ１４Ａが形成されている。フランジ１４Ａは、鍔部１５の内側に係合される。
【００２１】
鍔部１５は円盤形状をしており、中央に穿設された穴１５Ａには直管部１４が挿通されている。鍔部１５の周縁部から下方へ垂下して形成された側面部１５Ｂの内周側にはフレーム２の牡ネジ２１と螺合される牝ネジ１５Ｃが設置されている。側面部１５Ｂの外周側には鍔部１５の牝ネジ１５Ｃとフレーム２の牡ネジ２１を螺合させるための工具を係止する溝や突起を形成することができる。あるいは工具係止部１１Ｂと同様な形状にすることも可能である。
【００２２】
フレーム２は円筒状をしており、上端には鍔部１５の牝ネジ１５Ｃと螺合する牡ネジ２１が形成されている。下端には感熱分解部５を係止する内側フランジ２２が形成されている。フレーム２の内径は直管部１４のフランジ１４Ａを収容可能な大きさである。
【００２３】
弁体３はノズル１２を閉塞している。弁体３は円盤形状であり、上面側が弁座１２Ａに着座する。弁体３の下面は下方に突出した凸部３１を有しており、凸部３１には後述するデフレクター４１の中心穴が挿通されている。
【００２４】
弁体３には凸部３１からノズル１２側に荷重が印加されている。具体的には、鍔部１５とフレーム２を螺合すると、フレーム２の内側フランジ２２に係止された感熱分解部５とノズル１２の距離が縮まるので、感熱分解部５の上に載置されたサドル３３および弁体３はノズル１２側に押圧されて荷重が印加される。
【００２５】
デフレクター部４はノズル１２から放出された水を衝突させて飛散させ、所定の範囲に均一に散布するためのものである。デフレクター部４は、デフレクター４１、ガイドピン４２、ガイドリング４３から構成される。デフレクター４１は円盤状でありその中心には中心穴が穿設されている。デフレクター４１の周縁部には複数のスリットが形成されている。また、デフレクター４１の周縁部にはガイドピン４２が挿通される穴が複数個所穿設されている。
【００２６】
ガイドピン４２は前述のようにデフレクター４１の周縁部に穿設された穴に挿通される。ガイドピン４２を前記穴に挿通した状態で、デフレクター４１がガイドピン４２に沿って摺動することができる。ガイドピン４２の下端側は鍔部となっている。ガイドピン４２の上端側はガイドリング４３に固定設置される。
【００２７】
ガイドリング４３はリング形状をしている。ガイドリング４３にはガイドピン４２を固定設置するための穴が複数穿設されており、ガイドピン４２の上端側を穴に挿通した後、ガイドピン４２の先端を潰して変形させることで固定する。
【００２８】
感熱分解部５はレバー５１、サポートプレート５２、バランサー５３、シリンダー５４、プランジャー５５、低融点合金５６、セットスクリュー５７から構成される。感熱分解部５は公知であり、詳細な説明は特開平７−２８４５４５号公報に記載されているので詳細な説明は省略する。
【００２９】
続いて本考案のスプリンクラーヘッドの施工手順を説明する。
図４および図５に示すように、消火設備配管に設けられたヘッダーＨに本体１のねじ部１１を螺合させて接続する。ねじ部１１をヘッダーＨの牝ねじＨ１に接続した後、直管部１４を天井下地材６０に固定する。
【００３０】
具体的には、格子状に設置された天井下地材６０の上に角バー６１を載置して固定し、角バー６１に固定金具６２と直管部１４をセットする。固定金具６２のネジ６３を締め込むことで固定金具６２と角バー６１により直管部１４が挟持される。
【００３１】
固定金具６２の一例として、特開平６−２６１９５６号公報や特開平９−６５５号公報に記載されている固定金具を用いることができる。また、特開平１１−５１２７５号公報に記載されている取付金具に対応できるようにネジ孔を直管部１４の外周部に設けることで高さ調整を可能にすることができる。同様に、直管部１４に固定金具や天井下地材との接続構造として穴、溝、突起、等を設けることができる。
【００３２】
スプリンクラーヘッドＳを固定した後、天井ボードＴを室内側から貼り、スプリンクラーヘッドＳの保護キャップ（図示しない）を外してシーリングプレートＣを取り付けて施工を完了する。
【００３３】
上記によれば、施工現場においてスプリンクラーヘッドＳを消火設備配管に接続する際に、ねじ部１１とノズル１２の間に可撓管１３が介在していることで、ねじ部１１をヘッダーＨに締め込むときに過度な力が加わっても、ノズル１２や弁体３を支持する構成品にはこの力が伝わらす、スプリンクラーヘッドのノズル１２を閉止する荷重の低下を防止できる。
【００３４】
また、可撓部１３によりスプリンクラーヘッドＳを天井下地材６０に固定する際、自在に可撓管１３を屈曲させることができるのでスプリンクラーヘッドＳの位置調整を容易に行うことができる。
【００３５】
上記の実施形態においては、常時ノズルが弁体により閉塞された閉鎖型スプリンクラーヘッドについて説明したが、これに限らず常時ノズルが開放されている開放型スプリンクラーヘッドにも適用可能である。
【符号の説明】
【００３６】
１  本体  
２  フレーム  
３  弁体  
４  デフレクター部  
５  感熱分解部  
１１  ねじ部  
１２  ノズル  
１３  可撓管  
１４  直管部  
１５  鍔部  
２２  内側フランジ  
３１  凸部  
３３  サドル  
４１  デフレクター  
４２  ガイドピン  
４３  ガイドリング  
６０  天井下地材  
６１  角バー  
６２  固定金具  
【図１】
0003211718.tif 000003
【図２】
0003211718.tif 000004
【図３】
0003211718.tif 000005
【図４】
0003211718.tif 000006
【図５】
0003211718.tif 000007
【図６】
0003211718.tif 000008
【図７】
0003211718.tif 000009
【手続補正書】
【提出日】平成29年6月6日(2017.6.6)
【手続補正１】
【補正対象書類名】実用新案登録請求の範囲
【補正対象項目名】全文
【補正方法】変更
【補正の内容】
【実用新案登録請求の範囲】
【請求項１】
消火設備配管と接続されるねじ部と消火設備配管の内部の水を放出するノズルを有する本体、ノズルを閉塞する弁体、弁体を支持する感熱分解部、感熱分解部を係止し本体と螺合するフレーム、を備えており、本体のノズルとねじ部の間に可撓管を設置したことを特徴とするスプリンクラーヘッド。
【請求項２】
内部にノズルを収容し、一端が可撓管と接続された直管部を本体に備える請求項１記載のスプリンクラーヘッド。
【請求項３】
直管部の前記一端と対向する側の端は、本体の内側と係合している請求項２記載のスプリンクラーヘッド。